(57)【要約】  映像コンテンツを含むコンテンツの放送方式を判別し、表示手段での再生時の放送方式を判別し、コンテンツのデータ方式と表示手段のデータ方式とが異なると、コンテンツの放送方式を表示手段での放送方式に応じた再生速度となるデコード速度を変更する。簡単な処理で構成が簡略化でき、映像コンテンツのフレームを順次所定の再生速度でデコードするのみで円滑な再生が容易にできる。
2007094143.tif 000002
【特許請求の範囲】
【請求項１】
表示装置に接続可能で、映像コンテンツを含むコンテンツデータを、再生可能に処理する情報処理装置であって、
前記コンテンツデータを取得するコンテンツデータ取得手段と、
前記コンテンツデータのデータ方式を判別するデータ方式判別手段と、
前記表示装置のデータ方式を判別する出力方式判別手段と、
前記コンテンツデータのデータ方式が前記表示装置でのデータ方式と異なるデータ方式であると認識すると、前記取得するコンテンツデータを前記表示装置でのデータ方式に応じた再生速度に変換して前記出力手段へ出力する処理手段と、
を具備したことを特徴とした情報処理装置。
【請求項２】
請求項１に記載の情報処理装置であって、
前記出力方式判別手段は、前記表示装置から出力される信号または入力操作可能に設けられ接続可能な操作手段から前記表示装置のデータ方式に関する入力操作に対応して出力される信号を取得して前記表示装置のデータ方式を判別する
ことを特徴とした情報処理装置。
【請求項３】
請求項１または請求項２に記載の情報処理装置であって、
前記処理手段は、前記コンテンツデータの映像コンテンツが同一のデータ方式で再生される際の再生速度を、前記再生装置での異なるデータ方式における再生速度に倍速処理して再生速度を変換する
ことを特徴とした情報処理装置。
【請求項４】
請求項３に記載の情報処理装置であって、
前記処理手段は、前記コンテンツデータの映像コンテンツを復号化速度を変更することにより再生速度を変換する
ことを特徴とした情報処理装置。
【請求項５】
請求項１ないし請求項４のいずれかに記載の情報処理装置であって、
前記データ方式判別手段および前記出力方式判別手段は、放送方式をデータ方式として判別する
ことを特徴とした情報処理装置。
【請求項６】
請求項５に記載の情報処理装置であって、
前記処理手段は、前記コンテンツデータの放送方式がＮＴＳＣ方式で前記表示装置での放送方式がＰＡＬ方式の場合に前記コンテンツデータの映像コンテンツを５／６倍以上で複合化処理し、前記コンテンツデータの放送方式がＰＡＬ方式で前記表示装置での放送方式がＮＴＳＣ方式の場合に前記コンテンツデータの映像コンテンツを６／５倍以上で複合化処理することで、再生速度を変換する
ことを特徴とした情報処理装置。
【請求項７】
請求項１ないし請求項６のいずれかに記載の情報処理装置であって、
前記コンテンツデータは、音声コンテンツを含み、
前記処理手段は、前記コンテンツデータの音声コンテンツの周波数特性を、再生速度の変換に対応して変更する
ことを特徴とした情報処理装置。
【請求項８】
請求項７に記載の情報処理装置であって、
前記処理手段は、前記変換する再生速度の比率に対応した比率で周波数特性を変更する
ことを特徴とした情報処理装置。
【請求項９】
映像コンテンツを含むコンテンツデータを、表示装置を含む出力手段で再生可能に処理するＤＪ用再生装置であって、
回転操作により回転可能に設けられた操作子を有しこの操作子の操作に応じた操作信号を出力する操作手段と、
前記操作信号に基づいて前記映像コンテンツの前記表示装置での再生時の再生速度を変更して前記出力手段へ出力する処理手段と、
前記コンテンツデータを取得するコンテンツデータ取得手段と、
前記コンテンツデータのデータ方式を判別するデータ方式判別手段と、
前記出力手段の表示装置における再生時のデータ方式を判別する出力方式判別手段と、を具備し、
前記処理手段は、前記コンテンツデータのデータ方式が前記表示装置でのデータ方式と異なるデータ方式であると認識すると、前記取得するコンテンツデータを前記表示装置でのデータ方式に応じた再生速度に変換して前記出力手段へ出力する
ことを特徴としたＤＪ用再生装置。
【請求項１０】
演算手段により、映像コンテンツを含むコンテンツデータを、表示装置を含む出力手段で再生可能に処理する情報処理方法であって、
前記演算手段は、
前記コンテンツデータを取得するコンテンツデータ取得工程と、
前記コンテンツデータのデータ方式を判別するデータ方式判別工程と、
前記出力手段の表示装置における再生時のデータ方式を判別する出力方式判別工程と、
前記コンテンツデータのデータ方式と前記表示装置でのデータ方式とを比較し、異なるデータ方式であると認識すると、前記取得したコンテンツデータを前記表示装置でのデータ方式に応じた再生速度に変換して前記出力手段へ出力する処理工程と、を実施する
ことを特徴とする情報処理方法。
【請求項１１】
演算手段を請求項１ないし請求項８のいずれかに記載の情報処理装置、または請求項９に記載のＤＪ用再生装置として機能させる
ことを特徴とした情報処理プログラム。
【請求項１２】
請求項１１に記載の情報処理プログラムが演算手段にて読取可能に記録された
ことを特徴とした情報処理プログラムを記録した記録媒体。
【請求項１３】
表示装置を含む出力手段と、
この出力手段で再生可能に映像コンテンツを含むコンテンツデータを処理する請求項１ないし請求項８のいずれかに記載の情報処理装置、または請求項９に記載のＤＪ用再生装置と、
を具備したことを特徴とした再生装置。
【発明の詳細な説明】
【技術分野】
【０００１】
本発明は、異なる方式の情報を処理する情報処理装置、その方法、そのプログラム、そのプログラムを記録した記録媒体、ＤＪ用再生装置、および再生装置に関する。
【背景技術】
【０００２】
従来、動画像情報などの画像データをハードディスク（ＨＤＤ：Hard Disk Drive）や光ディスクなどの記録媒体に読み出し可能に記録する記録装置が広く利用されている。また、記録媒体に記録された動画像情報などの画像データを再生する場合、あらかじめ複数記録されている画像データの内容を代表する静止画像を、各画像データ毎に表示装置に一覧表示する構成が知られている（例えば、特許文献１参照）。
この特許文献１に記載のものは、米国テレビ方式委員会が決めたカラーテレビジョン方式であるいわゆるＮＴＳＣ（National Television System Committee）方式の画像データを表示する液晶パネルに、異なるカラーテレビジョン方式のいわゆるＰＡＬ（Phase Alternation by Line）の画像データを表示させる際に、ライン間引きを液晶パネルの表示領域に合わせて表示させる構成が採られている。【０００３】
【特許文献１】特開２００２−２１８２８５号公報（第３頁左欄−第５頁左欄、図２）
【発明の開示】
【発明が解決しようとする課題】
【０００４】
ところで、記録媒体に記録されている映像データを異なる方式の表示装置で表示させる際には、異なる方式の映像データが記録されている場合、これら画像データを表示装置に表示させる際には、例えば特許文献１に記載のようにＰＡＬ方式の画像データをＮＴＳＣ方式で表示させる表示領域毎に画像をライン間引き処理する。さらに、１秒間に２５フレームで再生するデータ構造となるＰＡＬ方式の映像フレームを１秒間に３０フレームで再生させるＮＴＳＣ方式とするために、フレーム間へ新たなフレームを追加する補間処理を実施することが考えられる。方式が逆の場合には、その逆の処理が考えられる。
しかしながら、表示装置の表示領域内で画像データのライン間引き処理や補間処理を実施する場合、特に映像などのような連続する画像データを順次表示させる場合、処理が煩雑で、構成も複雑となり、円滑な再生映像が得られないおそれがある問題が一例として挙げられる。【０００５】
本発明は、このような実情などに鑑みて、異なる方式のコンテンツでも簡単な構成で円滑な再生が得られる情報処理装置、その方法、そのプログラム、そのプログラムを記録した記録媒体、ＤＪ用再生装置、および再生装置を提供することを１つの目的とする。
【課題を解決するための手段】
【０００６】
本発明の情報処理装置は、表示装置に接続可能で、映像コンテンツを含むコンテンツデータを、再生可能に処理する情報処理装置であって、前記コンテンツデータを取得するコンテンツデータ取得手段と、前記コンテンツデータのデータ方式を判別するデータ方式判別手段と、前記表示装置のデータ方式を判別する出力方式判別手段と、前記コンテンツデータのデータ方式が前記表示装置でのデータ方式と異なるデータ方式であると認識すると、前記取得するコンテンツデータを前記表示装置でのデータ方式に応じた再生速度に変換して前記出力手段へ出力する処理手段と、を具備したことを特徴とする。【０００７】
本発明のＤＪ用再生装置は、映像コンテンツを含むコンテンツデータを、表示装置を含む出力手段で再生可能に処理するＤＪ用再生装置であって、回転操作により回転可能に設けられた操作子を有しこの操作子の操作に応じた操作信号を出力する操作手段と、前記操作信号に基づいて前記映像コンテンツの前記表示装置での再生時の再生速度を変更して前記出力手段へ出力する処理手段と、前記コンテンツデータを取得するコンテンツデータ取得手段と、前記コンテンツデータのデータ方式を判別するデータ方式判別手段と、前記出力手段の表示装置における再生時のデータ方式を判別する出力方式判別手段と、を具備し、前記処理手段は、前記コンテンツデータのデータ方式が前記表示装置でのデータ方式と異なるデータ方式であると認識すると、前記取得するコンテンツデータを前記表示装置でのデータ方式に応じた再生速度に変換して前記出力手段へ出力することを特徴とする。【０００８】
本発明の情報処理方法は、演算手段により、映像コンテンツを含むコンテンツデータを、表示装置を含む出力手段で再生可能に処理する情報処理方法であって、前記演算手段は、前記コンテンツデータを取得するコンテンツデータ取得工程と、前記コンテンツデータのデータ方式を判別するデータ方式判別工程と、前記出力手段の表示装置における再生時のデータ方式を判別する出力方式判別工程と、前記コンテンツデータのデータ方式と前記表示装置でのデータ方式とを比較し、異なるデータ方式であると認識すると、前記取得したコンテンツデータを前記表示装置でのデータ方式に応じた再生速度に変換して前記出力手段へ出力する処理工程と、を実施することを特徴とする。【０００９】
本発明の情報処理プログラムは、演算手段を前述した本発明の情報処理装置またはＤＪ用再生装置として機能させることを特徴とする。【００１０】
本発明の情報処理プログラムを記録した記録媒体は、前述した本発明の情報処理プログラムが演算手段にて読取可能に記録されたことを特徴とする。【００１１】
本発明の再生装置は、表示装置を含む出力手段と、この出力手段で再生可能に映像コンテンツを含むコンテンツデータを処理する前述した本発明の情報処理装置またはＤＪ用再生装置と、を具備したことを特徴とする。
【図面の簡単な説明】
【００１２】
【図１】本発明における一実施形態に係る再生システムの概略構成を示すブロック図である。
【図２】前記実施形態における再生システムを構成する情報処理装置を示す平面図である。
【図３】前記実施形態における情報処理装置の情報処理手段の概略構成を示すブロック図である。
【図４】前記実施形態における情報処理装置でのコンテンツの再生処理の動作を示すフローチャートである。
【符号の説明】
【００１３】
１００……再生装置としの再生システム
２００……出力手段
２２０……表示装置としての表示手段
３００……ＤＪ用再生装置としての情報処理装置
３４０……操作手段としてのスイッチ部
４００……情報処理装置としても機能する演算手段としての情報処理手段
４２０……コンテンツデータ取得手段、データ方式判別手段および出力方式判別手段として機能する情報取得手段
４５０……処理手段
５００……操作手段としてのスイッチ装置
【発明を実施するための最良の形態】
【００１４】
〔再生システムの構成〕
以下、本発明の一実施形態を図面に基づいて説明する。
本実施形態では、例えばコンテンツデータとして、音声コンテンツである音声データおよび映像コンテンツである映像データを有したコンテンツを、音声および映像として再生する再生装置としての再生システムを例示するが、この限りではない。例えば、映像データのみのコンテンツや、映像データと文字データとを含むコンテンツなどを対象とすることができる。また、コンテンツとして、記録媒体に記録されたコンテンツを再生する構成を例示するが、例えばチューナやインターネットなどのネットワークを介してコンテンツを受信する場合でも、一旦ストレージ媒体に蓄積する構成を採ることで同様の効果を得ることができる。また、情報処理装置としてＤＪ用再生装置を例示するが、例えば、家庭用や業務設置用などの音響装置や、テレビジョンなどの出力手段が一体構成のものなど、各種構成に適用できる。
図１は、本発明の再生装置に係る再生システムの概略構成を示すブロック図である。図２は、再生システムを構成する情報処理装置を示す平面図である。図３は、情報処理装置としての演算手段である情報処理手段の概略構成を示すブロック図である。【００１５】
図１において、１００は再生システムで、この再生システム１００は、コンテンツである音声や音楽に関する音声データや画像や映像に関する映像データを再生する。
この再生システム１００は、出力手段２００と、情報処理装置３００と、を備えている。【００１６】
出力手段２００は、情報処理装置３００から出力される信号に基づいて、音声や音楽、あるいは画像や映像として出力する。この出力手段２００は、発音手段２１０と、表示手段２２０と、を備えている。発音手段２１０は、図示しないスピーカを備えている。そして、発音手段２１０は、情報処理装置３００から音声データに対応した信号を取得すると、例えば増幅などの処理を適宜実行してスピーカから音声や音楽として発音により出力する。
一方、表示手段２２０は、情報処理装置３００から映像データに対応した信号を取得すると、適宜処理して画像や映像として表示により出力する。この表示手段２２０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。【００１７】
情報処理装置３００は、いわゆるＤＪ用再生装置で、図示しない記録媒体に記録されたコンテンツを出力手段２００で出力可能に処理する。この処理としては、例えば、ディスクジョッキ（ＤＪ）と呼ばれる奏者が、レコードプレーヤを用いてレコード盤の音楽情報を演奏する場合と同様な操作に対応したコンテンツの処理である。
ここで、記録媒体としては、例えばＣＤ−ＲＯＭ（Compact Disc-Read Only Memory）、ＤＶＤ−ＲＯＭ（Digital Versatile Disc - Read Only Memory）、ＤＶＤ−Ｒ（Digital Versatile Disc-Recordable）、ＤＶＤ−ＲＷ（Digital Versatile Disc - ReWritable）、などの光ディスク、光磁気（ＭＯ：magneto-optical）ディスク、ハードディスク（ＨＤ：Hard Disk）などの磁気ディスク、あるいはメモリカードやＩＣ（Integrated Circuit）カードなど、着脱可能な構成の他、半導体メモリなども対象とすることができる。【００１８】
そして、情報処理装置３００は、例えば図２に示すように、ＡＢＳ（Acrylonitrile-Butadiene-Styrene）樹脂にて略矩形状に形成された本体ケース３０１を有している。
この本体ケース３０１内には、記録媒体に記録されたコンテンツを読み取って出力手段２００で出力すなわち再生させるための処理をする情報処理装置としての演算手段である情報処理手段４００が設けられている。また、本体ケース３０１の一側面である正面（図２中の下側）には、側方に向けて開口する挿入口３０２が設けられている。この挿入口３０２は、記録媒体が挿通して本体ケース３０１内外へ搬送可能に設けられている。なお、挿入口３０２は、１つに限らず、異なる種別の記録媒体が利用可能である場合には、それら種別に対応して複数設けられていてもよい。【００１９】
そして、情報処理装置３００の本体ケース３０１内には、本体ケース３０１の外面に一部臨んで配設された、第１の表示装置３１０と、ドライブ３３０と、操作手段であるスイッチ部３４０と、通信手段３５０と、記憶手段３６０と、スイッチ装置５００と、情報処理手段４００と、などを備えている。【００２０】
第１の表示装置３１０は、本体ケース３０１の上面（図２で示される面）に臨んで配設され、情報処理手段４００に接続されている。そして、第１の表示装置３１０は、情報処理手段４００から出力される制御信号により、コンテンツの特性や処理状況などを表示する。
具体的には、例えば記録媒体に記憶され複数の映像データを処理する場合、映像データの数や再生処理している映像データの順番であるトラック番号、記録された全映像データの総再生時間や映像データ毎の再生時間あるいは再生中の映像データの再生時間、再生中の映像データの再生速度、映像データの再生位置およびその前後における音声データの音量や所定の周波数以下である低音域の音量、再生中の映像データの通常時の再生速度に対する速度の割合などを表示する。
この第１の表示装置３１０としては、例えば液晶表示パネルや有機ＥＬパネル、ＰＤＰ、ＣＲＴ、ＦＥＤ、電気泳動ディスプレイパネルなど、各種表示装置が利用できる。【００２１】
ドライブ３３０は、情報処理手段４００に接続され、情報処理手段４００から出力される制御信号により、記録媒体が着脱可能に装着され、記録媒体に記録されたコンテンツを読み取る読取処理、さらには記録媒体へコンテンツを記録する記録処理をも実施する。
このドライブ３３０は、上述した各種記録媒体に対応可能に構成されている。すなわち、例えば記録媒体が光ディスクである場合には光ピックアップを備えた構成、記録媒体が磁気ディスクの場合には磁気ヘッドを備えた構成、メモリカードなどの場合にはコネクタを有し処理のためのドライバを備えた構成などである。
なお、ドライブ３３０は、１つの構成に限らず、各種記録媒体に対応可能に複数の構成を備えたものとしてもよい。【００２２】
スイッチ部３４０は、情報処理手段４００に接続され、利用者による入力操作可能に本体ケース３０１の上面に臨んで複数配設されている。これらスイッチ部３４０は、入力操作に対応して所定の操作信号を情報処理手段４００へ出力し、情報処理手段４００でコンテンツを処理する状況を設定させる。
このスイッチ部３４０は、例えば、ドライブ３３０でクランプ位置に装着されている記録媒体を本体ケース３０１外へ挿入口３０２を介して搬出させたり、再生速度を変更したり、映像データの所定の位置をマーキングするように特定させたり、繰り返し再生させたりするなど、各種再生状態などを入力設定する。【００２３】
通信手段３５０は、情報処理手段４００に接続され、情報処理手段４００による制御により、例えばネットワークを介してコンテンツを配信可能に記憶するサーバ装置やパーソナルコンピュータなどの端末装置に接続し、記憶されているコンテンツを取得し、情報処理手段４００へ出力する。
ここで、ネットワークとしては、例えば、ＴＣＰ（Transmission Control Protocol）／ＩＰ（Internet Protocol）などの汎用のプロトコルに基づくインターネット、イントラネット、ＬＡＮ(Local Area Network)、無線媒体によりコンテンツが送受信可能な複数の基地局がネットワークを構成する通信回線網や放送網などのネットワーク、さらには、コンテンツを直接送受信するための媒体となる無線媒体自体などが例示できる。ここで、無線媒体としては、電波、光、音波、電磁波などのいずれの媒体をも適用できる。
なお、通信手段３５０で取得され情報処理手段４００へ出力されたコンテンツは、記憶手段３６０で適宜読み出し可能に記憶される。【００２４】
記憶手段３６０は、例えば、ＨＤ（Hard Disk）などの磁気ディスク、ＤＶＤ（Digital Versatile Disc）などの光ディスク、メモリカードなど、各種記録媒体に読み出し可能に記憶するドライブやドライバなどの構成の他、半導体メモリなどが適用できる。
この記憶手段３６０は、情報処理装置３００全体を動作制御するＯＳ（Operating System）上に展開される各種プログラムなどをも記憶している。さらに、記憶手段３６０は、情報処理手段４００が演算の際に処理する信号を一時的に記憶可能に構成されている。すなわち、記憶手段３６０は、メモリとしても機能する。【００２５】
スイッチ装置５００は、例えばレコード盤を再生するためのレコードプレーヤにおけるターンテーブルを模擬した形状に構成されている。このスイッチ装置５００は、利用者が入力操作可能に本体ケース３０１の平面である上面の略中央に位置して配設され、入力操作に応じた操作信号を情報処理手段４００へ出力し、コンテンツデータの処理状態を可変設定させる。
具体的には、映像データを再生するために処理する場合に、映像データの再生速度や再生方向、再生の停止や再開などの再生状態を可変するなど、コンテンツの処理状態を可変設定する。なお、映像データのみならず、音声データも可変設定可能である。
そして、スイッチ装置５００は、操作手段を構成する操作子としての回転体部６００を備えている。この回転体部６００は、ジョグテーブル部６１０と、ジョグリング部６５０と、を有している。
ジョグテーブル部６１０は、略円板状のテーブル板６１１の周縁から略筒状に図示しない筒状部が形成され、略円盤状に形成されている。ジョグリング部６５０は、内周側にジョグテーブル部６１０を軸方向で移動可能で周方向では互いに係合して移動不可能に嵌挿するリング状に形成されている。
また、スイッチ装置５００は、ジョグテーブル部６１０のテーブル板の所定位置にタッチセンサなどの押圧検出手段８２０が配設されているとともに、ジョグテーブル部６１０およびジョグリング部６５０が一体的に回転操作されることによる回転移動を検出する回転移動検出手段８１０が配設されている。さらに、テーブル板６１１の略中央には、本体ケース３０１内に配設された第２の表示装置３２０が臨む表示窓６１２が設けられている。そして、スイッチ装置５００は、押圧検出手段８２０および回転移動検出手段８１０で検出する利用者の接触や押圧操作、および回転操作に応じた操作信号を情報処理手段４００へ出力する。
なお、押圧検出手段８２０としては、押圧センサの他、ジョグテーブル部６１０が押圧操作により押し下げられる移動にて機械的にオンオフするスイッチ構成、さらには静電センサなど、各種構成が適用できる。また、回転移動検出手段８１０も、例えば光センサや磁気センサにて直接的に回転を検出する構成の他、回転に係合する歯車やローラなどの回転を検出する機械的な構成など、各種構成が適用できる。【００２６】
情報処理手段４００は、例えばＣＰＵ（Central Processing Unit）を備え、図示しない各種入出力ポートである、第１の表示装置３１０や第２の表示装置３２０が接続される表示制御ポートと、ドライブ３３０が接続されるドライブ制御ポートと、スイッチ部３４０や押圧検出手段８２０さらには回転移動検出手段８１０などが接続される入力ポートと、通信手段３５０が接続される通信ポートと、記憶手段３６０が接続される記憶ポートと、などを有している。
そして、情報処理手段４００は、各種プログラムとして、操作信号認識手段４１０と、情報取得手段４２０と、特性認識手段４３０と、表示制御手段４４０と、処理手段４５０と、などを備えている。【００２７】
操作信号認識手段４１０は、スイッチ部３４０から出力される各種操作信号、回転移動検出手段８１０および押圧検出手段８２０から出力される検出信号を認識し、利用者により入力操作されたコンテンツの処理条件や処理状況の変更要求を認識し、コンテンツの処理状態を設定する。
この処理状態の設定内容に関する信号は、データ方式判別手段および出力方式判別手段としての情報取得手段４２０、特性認識手段４３０と、表示制御手段４４０、処理手段４５０などへ適宜出力される。【００２８】
情報取得手段４２０は、操作信号認識手段４１０から出力される所定の処理状況の設定内容に関する信号、すなわち処理対象となる所定のコンテンツを読み取る旨の指示信号を認識すると、ドライブ３３０や記憶手段３６０を動作制御し、記録媒体に記憶された所望のコンテンツを読み取らせ、取得する。
また、情報取得手段４２０は、記録媒体に記録されたコンテンツの記録状況、例えば再生時間や記録されたコンテンツの数、データ方式である放送方式、具体的にはＮＴＳＣ方式、ＰＡＬ方式、ＳＥＣＡＭ方式のいずれの方式であるかなどの記録情報を取得する。これら記録情報の取得としては、例えば、記録媒体がドライブ３３０に装着されたことをドライブ３３０から出力される信号に基づいて認識、あるいは、スイッチ部３４０などの入力操作などにて処理対象が記憶手段３６０に記憶されたコンテンツであることを認識すると、ドライブ３３０や記憶手段３６０を動作制御して、記録されているプレイリストやＴＯＣ（Table Of Contents）情報、プログラム情報などを読み取らせて取得する。
さらに、情報取得手段４２０は、接続されている出力手段２００の表示手段２２０のデータ方式である放送方式を判別、具体的にはＮＴＳＣ方式、ＰＡＬ方式、ＳＥＣＡＭ方式のいずれの方式であるかを判別する。このデータ方式の認識は、例えば表示手段２２０へ所定の制御信号を出力させ、表示手段２２０から出力される信号に基づいて判別する。そして、情報取得手段４２０は、判別した表示手段２２０の表示方式であるデータ方式に関する情報を記憶手段３６０へ適宜記憶させる。この記憶される情報は、表示手段２２０の接続が排除されたり、情報処理装置３００の電源がＯＦＦされたりするまで、記憶される。
さらに、情報取得手段４２０は、例えばスイッチ部３４０などの入力操作や情報処理装置３００に接続された端末装置などから出力される要求信号に基づいて、通信手段３５０を動作制御し、サーバ装置や端末装置から取得要求対象のコンテンツを受信させて取得する。【００２９】
特性認識手段４３０は、情報取得手段４２０で処理対象として取得したコンテンツの特性、例えばコンテンツが音楽データである場合には音量、音程、テンポなど、映像データの場合には明暗、コントラスト、色彩などを認識し特性情報として取得する。
これらコンテンツの特性は、そのコンテンツに関連付けられて記録媒体に記録された特性に関する情報の他、例えば処理手段４５０でコンテンツを再生するための処理の際に周波数などに基づいて認識し、特性に関する特性情報として取得してもよい。例えば、所定の周波数以下である低音域の音量として、ローパスフィルタにより所定の周波数以下の成分を取得してその音量が所定の以上の大きさ、特にピーク値を特性として認識する。
さらに、特性認識手段４３０は、特性である低音域のピーク値が存在する位置における再生開始位置からの時間情報である経過時間を、記録情報に含まれる時間情報である分や秒、あるいはフレーム数に基づいて認識する。具体的には、所定値以上の音量となる複数のピークが存在する場合、各ピークに対応して再生開始から識別番号などを順次設定するとともに経過時間を順次認識して関連付けて特性情報におけるピーク情報を生成する。これら生成されたピーク情報は、記憶手段３６０に順次記憶される。
また、特性認識手段４３０は、認識したコンテンツの特性に関する特性情報を表示制御手段４４０へも適宜出力する。【００３０】
表示制御手段４４０は、第１の表示装置３１０および第２の表示装置３２０を制御し、操作信号認識手段４１０から出力される処理状況の設定内容に関する信号や特性認識手段４３０で認識したコンテンツの特性に関する各種情報に対応して、設定内容やコンテンツの処理状況を適宜表示させる。
なお、出力手段２００の表示手段２２０に表示させてもよい。【００３１】
処理手段４５０は、例えばＣＰＵなどを備え、情報取得手段４２０で取得した処理対象のコンテンツを、操作信号認識手段４１０から出力される処理状況の設定内容に関する信号に応じて、出力手段２００から上述した設定内容のように適宜出力される状態に再生処理する。
この処理したコンテンツは、出力手段２００に適宜出力され、設定内容に対応して再生される。すなわち、通常に再生したり、回転体部６００の回転や押圧あるいは接触操作、スイッチ部３４０の入力操作による設定内容に応じて、コンテンツの再生位置や再生速度、テンポ、音程などを設定あるいは変更する状態に処理する。
具体的には、処理手段４５０は、図３に示すように、デマルチプレクサ４５１と、ビデオ複合化機４５２と、オーディオ複合化機４５３と、ビデオ出力コントローラ４５４と、ビデオフィールド変換機４５５と、オーディオ出力コントローラ４５６と、オーディオピッチコントローラ４５７と、などを備えている。【００３２】
デマルチプレクサ４５１は、ドライブ３３０から出力されるコンテンツデータを適宜取得し、映像データと音声データとに分離する。例えば、デマルチプレクサ４５１は、ＭＰＥＧ（Moving Picture Expert Group）形式の映像データと、ＡＣ−３形式の音声データと、に分離する。そして、映像データをビデオ複合化機４５２へ、音声データをオーディオ複合化機４５３へ適宜出力する。
ビデオ複合化機４５２は、デマルチプレクサ４５１からの映像データを適宜取得して復号化し、デジタルの映像信号に適宜変換する。この複合化処理の際、ビデオ複合化機４５２は、映像データがＰＡＬ方式やＳＥＣＡＭ方式で出力手段２００の表示手段２２０の表示方式がＮＴＳＣ方式の場合は６／５倍以上の速度で加速デコード処理をし、映像データがＮＴＳＣ方式で表示手段２２０がＰＡＬ方式やＳＥＣＡＭ方式の場合は５／６倍以上の速度で加速デコード処理をする。そして、ビデオ複合化機４５２は、複合化して変換したデジタルの映像信号に複合時に取得した時間情報を付加して、ビデオ出力コントローラ４５４へ適宜出力する。
ビデオ出力コントローラ４５４は、ビデオ複合化機４５２から取得したデジタル映像信号を、同時に取得した時間情報と関連付けて管理する。そして、ビデオ出力コントローラ４５４は、ビデオ出力タイミングになると、その時点での出力オーディオデータの時間情報をもとに、最も適合する時間情報をもつビデオデータを選択し、ビデオフィールド変換機４５５へ適宜出力する。
ビデオフィールド変換機４５５は、ビデオ出力コントローラ４５４からの映像信号を、表示手段２２０のデータ方式に対応した走査線のライン数に変換する。具体的には、ビデオフィールド変換機４５５は、映像データがＰＡＬ方式やＳＥＣＡＭ方式で表示手段２２０がＮＴＳＣ方式の場合は垂直方向５７６ラインを４８０ラインに間引き処理し、映像データがＮＴＳＣ方式で表示手段２２０がＰＡＬ方式やＳＥＣＡＭ方式の場合は垂直方向４８０ラインを５７６ラインに補間処理する。そして、ビデオフィールド変換機４５５は、走査線数の変換処理を実施した映像信号を表示手段２２０へ順次出力する。【００３３】
また、オーディオ複合化機４５３は、デマルチプレクサ４５１からの音声データを適宜取得し、デジタルの音声信号に適宜変換する。この複合化処理の際、ビデオ複合化機４５２と同様に、変換するデータ方式に対応する速度で加速デコード処理をする。すなわち映像データがＰＡＬ方式やＳＥＣＡＭ方式で出力手段２００の表示手段２２０の表示方式がＮＴＳＣ方式の場合は６／５倍以上の速度で加速デコード処理をし、映像データがＮＴＳＣ方式で表示手段２２０がＰＡＬ方式やＳＥＣＡＭ方式の場合は５／６倍以上の速度で加速デコード処理をする。そして、オーディオ複合化機４５３は、複合化して変換したデジタルの音声信号に複合時に取得した時間情報を付加して、オーディオ出力コントローラ４５６へ適宜出力する。
オーディオ出力コントローラ４５６は、オーディオ複合化機４５３からのデジタルの音声信号を同時に取得した時間情報と関連付けて管理する。そして、オーディオ出力コントローラ４５６は、時間情報の関連付けをした音声信号を、設定された速度、例えば上述したＰＡＬ方式（ＳＥＣＡＭ方式）→ＮＴＳＣ方式では６／５倍の速度で、ＮＴＳＣ方式→ＰＡＬ方式（ＳＥＣＡＭ方式）では５／６倍の速度で、オーディオピッチコントローラ４５７へ出力する。
オーディオピッチコントローラ４５７は、例えばＤＳＰ（Digital Signal Processor）などを備え、オーディオ出力コントローラ４５６からの音声信号を適宜取得し、音声信号の音の高低を変化させる処理をする。例えば、６／５倍の速度で出力される音声信号の場合には音程を低くさせ、５／６倍の速度で出力される音声信号の場合には音程を高くさせ、等倍で出力される音程と同等の音程となるように音特性を調整する。そして、オーディオピッチコントローラ４５７は、音特性を調整した音声信号を出力手段２００の発音手段２１０へ順次出力する。【００３４】
〔再生システムの動作〕
次に、上述した再生システムの動作について、図４を参照して説明する。
図４は、情報処理装置におけるコンテンツの再生処理の動作を示すフローチャートである。【００３５】
まず、再生システム１００の電源が投入されることにより、情報処理装置３００の情報処理手段４００はこの情報処理手段４００に接続されている各種機器を認識する。本実施形態では、第１の表示装置３１０、第２の表示装置３２０、ドライブ３３０、スイッチ部３４０、通信手段３５０、記憶手段３６０、スイッチ装置５００などの内部構成の他、出力手段２００が接続されていることを認識する。
そして、情報処理手段４００は、情報取得手段４２０により、例えば表示手段２２０へ所定の制御信号を出力し、表示手段２２０から出力される信号に基づいて表示手段２２０のデータ方式である放送方式を判別する。具体的には、ＮＴＳＣ方式、ＰＡＬ方式、ＳＥＣＡＭ方式のいずれの方式であるかを判別する。そして、情報取得手段４２０は、判別した表示手段２２０のデータ方式を記憶手段３６０へ記憶する。
また、情報処理手段４００は、ドライブ３３０を制御し、ドライブ３３０に記録媒体が装着されているか否か判断する。そして、記録媒体が装着されていないことを判断すると、待機状態となる。【００３６】
そして、挿入口３０２に光ディスクなどの記録媒体が挿入されると、情報処理手段４００がドライブ３３０を動作制御する。すなわち、例えばオートローディング機構により、本体ケース３０１内のドライブ３３０の所定の位置に記録媒体を装着させる。
そして、情報処理手段４００は、記録媒体がドライブ３３０に装着されたことを認識すると、情報取得手段４２０により、ドライブ３３０を動作制御して記録媒体に記録された記録情報を読み取らせる。さらに、情報処理手段４００は、表示制御手段４４０により第１の表示装置３１０を制御して、記録情報を表示させる。
この後、情報処理手段４００は、スイッチ部３４０が利用者により入力操作されて出力する操作信号を操作信号認識手段４１０で認識し、入力された処理状態を設定する。【００３７】
そして、情報処理手段４００は、処理対象のコンテンツデータの選択待機状態となる。すなわち、情報処理手段４００は、いずれのコンテンツが選択されたか否かを判断する。そして、処理対象のコンテンツがスイッチ部３４０やスイッチ装置５００による入力操作により選択されたことを認識すると、情報取得手段４２０によりドライブ３３０や通信手段３５０あるいは記憶手段３６０を制御し、選択された音楽データを読み取らせる、あるいは受信させ、コンテンツを取得させる（ステップＳ１０１）。
情報取得手段４２０は、このステップＳ１０１において、取得するコンテンツに音声データが含まれるか否かを判断する（ステップＳ１０２）。例えば、コンテンツに含まれる記録情報やコンテンツに関連付けられた記録情報、処理手段４５０のデマルチプレクサ４５１における分離処理などにより、音声データの有無を判断する。さらに、情報取得手段４２０は、記録情報などに基づいて、再生対象の選択されたコンテンツのデータ方式である放送方式を認識する。【００３８】
そして、ステップＳ１０２において、音声データを含んでいない、すなわち映像データやテキストデータなどの表示により再生させるデータ構造であると判断した場合、処理手段４５０により、コンテンツのデータ方式と、あらかじめ認識して記憶した表示手段２２０のデータ方式とを比較し、データ方式の変換の要否を判断する。このデータ方式の判断において、データ方式が同一であると判断した場合には、取得したコンテンツデータを適宜処理し、出力手段２００へ出力して再生させる。
一方、データ方式が異なりデータ方式の変換処理が必要であると判断した場合には、変換処理内容を判断する（ステップＳ１０３）。具体的には、データ方式の変換方向であるＰＡＬ方式（ＳＥＣＡＭ方式）→ＮＴＳＣ方式か、ＮＴＳＣ方式→ＰＡＬ方式（ＳＥＣＡＭ方式）かを判断する。
そして、ＰＡＬ方式（ＳＥＣＡＭ方式）→ＮＴＳＣ方式の変換方向であると判断した場合には、処理手段４５０はデコード処理を６／５倍の速度に加速デコード処理する状態に設定する。すなわち、同一のＰＡＬ方式（ＳＥＣＡＭ方式）で再生させる際の複合化処理速度であるクロック基準速度に対して、ＰＡＬ方式（ＳＥＣＡＭ方式）からＮＴＳＣ方式のフレーム数で再生させるための３０／２５の速度で加速デコード処理する状態に設定する（ステップＳ１０４）。
一方、ＮＴＳＣ方式→ＰＡＬ方式（ＳＥＣＡＭ方式）の変換方向であると判断した場合には、処理手段４５０はデコード処理を５／６倍の速度に加速デコード処理する状態に設定する。すなわち、同一のＮＴＳＣ方式で再生させる際の複合化処理速度であるクロック基準速度に対して、ＮＴＳＣ方式からＰＡＬ方式（ＳＥＣＡＭ方式）のフレーム数で再生させるための２５／３０の速度で加速デコード処理する状態に設定する（ステップＳ１０５）。
そして、ステップＳ１０４またはステップＳ１０５の処理の後、処理手段４５０は、クロックに基づいて計時を開始、例えばクロック信号を計数するなどして計時を開始し（ステップＳ１０６）、映像データの各フレームを順次複合化する（ステップＳ１０７）。【００３９】
一方、ステップＳ１０２において、音声データを含んでいると判断した場合、処理手段４５０により、コンテンツのデータ方式と、あらかじめ認識して記憶した表示手段２２０のデータ方式とを比較し、データ方式の変換の要否を判断する。このデータ方式の判断において、データ方式が同一であると判断した場合には、取得したコンテンツデータを適宜処理し、出力手段２００へ出力して再生させる。
また、データ方式が異なりデータ方式の変換処理が必要であると判断した場合には、変換処理内容を判断する（ステップＳ１０８）。具体的には、データ方式の変換方向であるＰＡＬ方式（ＳＥＣＡＭ方式）→ＮＴＳＣ方式か、ＮＴＳＣ方式→ＰＡＬ方式（ＳＥＣＡＭ方式）かを判断する。
そして、ＰＡＬ方式（ＳＥＣＡＭ方式）→ＮＴＳＣ方式の変換方向であると判断した場合には、処理手段４５０は音声データの再生速度を６／５倍の速度に設定する。すなわち、同一のＰＡＬ方式（ＳＥＣＡＭ方式）で再生させる際の映像データの処理速度である２５フレーム／秒をＮＴＳＣ方式における処理速度である３０フレーム／秒にすることに対応して音声が同期する状態に３０／２５の再生速度に設定する（ステップＳ１０９）。
一方、ＮＴＳＣ方式→ＰＡＬ方式（ＳＥＣＡＭ方式）の変換方向であると判断した場合には、処理手段４５０は音声データの再生速度を５／６倍の速度に設定する。すなわち、同一のＮＴＳＣ方式で再生させる際の映像データの処理速度である３０フレーム／秒を、ＰＡＬ方式（ＳＥＣＡＭ方式）における処理速度である２５フレーム／秒にすることに対応して音声が同期する状態に２５／３０の再生速度に設定する（ステップＳ１１０）。【００４０】
そして、ステップＳ１０９またはステップＳ１１０の処理の後、処理手段４５０は、ピッチコントローラの構成すなわちオーディオピッチコントローラ４５７の構成があるかを判断する（ステップＳ１１１）。
このステップＳ１１１において、オーディオピッチコントローラ４５７がないと判断した場合、処理手段４５０は順次そのままの速度で、音声データをデコード処理し（ステップＳ１１２）、ステップＳ１０７に進んで映像データの各フレームを順次複合化する。
一方、ステップＳ１１１において、オーディオピッチコントローラ４５７があると判断した場合、処理手段４５０はステップＳ１０９またはステップＳ１１０で設定された再生速度でオーディオピッチコントローラ４５７を制御、すなわちデコード処理速度を補正し（ステップＳ１１３）、ステップＳ１１２で補正した再生速度で音声データのデコード処理をし、ステップＳ１０７に進んで映像データの各フレームを順次複合化する。【００４１】
このステップＳ１０７における映像データのデコード処理後、処理手段４５０は、映像データの出力タイミングになったか否かを判断する（ステップＳ１１４）。すなわち、順次デコードして図示しないバッファに蓄積されたフレームを、ビデオ出力コントローラ４５４およびオーディオ出力コントローラ４５６で管理する時間情報に基づいて出力手段２００で再生させるタイミングになったか否かを判断する。なお、音声データがない場合には、オーディオ出力コントローラ４５６で時間情報を管理していないので、ビデオ出力コントローラ４５４における時間情報に基づいて判断する。
そして、処理手段４５０は、まだ映像データの出力タイミングになっていないと判断した場合、映像データのビデオ出力コントローラ４５４におけるバッファであるフレームメモリの空き容量を判断する（ステップＳ１１５）。
このステップＳ１１５において、ビデオ出力コントローラ４５４のフレームメモリの空き容量に、まだ空きがあると判断した場合には、そのままデコード処理を継続し（ステップＳ１１６）、ステップＳ１１４に戻る。
一方、ステップＳ１１５において、ビデオ出力コントローラ４５４のフレームメモリの空き容量に、十分な空きがないと判断した場合には、デコード処理を一時中断し（ステップＳ１１７）、ステップＳ１１４に戻る。【００４２】
また、ステップＳ１１４において、処理手段４５０が映像データの出力タイミングになったと判断した場合、処理手段４５０は音声データの有無を判断する（ステップＳ１１８）。
そして、ステップＳ１１８において、音声データがないと判断した場合には、ステップＳ１０６で計数する計数値を時間情報に換算し（ステップＳ１１９）、時間情報に同期する映像データのフレームを選択する（ステップＳ１２０）。
一方、ステップＳ１１８において、音声データがあると判断した場合には、オーディオ出力コントローラ４５６で管理する時間情報を取得し（ステップＳ１２１）、ステップＳ１２０に進んで時間情報に同期する映像データのフレームを選択する。【００４３】
そして、ステップＳ１２０でのフレームの選択処理の後、処理手段４５０は映像データのフレームをビデオ出力コントローラ４５４からビデオフィールド変換機４５５に出力させ（ステップＳ１２２）、ステップＳ１１４に戻る。
すなわち、ビデオフィールド変換機４５５で表示手段２２０のデータ方式に対応した走査線のライン数にフレーム画像を変換し、出力手段２００へ出力させ、再生させる。【００４４】
〔再生システムの作用効果〕
上述したように、上記実施形態では、情報取得手段４２０により、取得する映像コンテンツを含むコンテンツのデータ方式を判別するとともに、出力手段２００の表示手段２２０における再生時のデータ方式を判別し、処理手段４５０により、コンテンツのデータ方式と表示手段２２０のデータ方式とが異なることを認識すると、表示手段２２０でのデータ方式に応じた再生速度に情報取得手段４２０で取得するコンテンツのデータ方式を変換して出力手段２００へ出力する。
このため、コンテンツの映像コンテンツにおけるフレームを間引いたり、フレーム間に新たに作成したフレームを補間したりするなどによる表示手段２２０での再生される映像のちらつきや不連続性などの円滑な映像が得られないとともに、処理が煩雑で構成の複雑化などを生じ、製造性の向上やコストの低減が図れないなどの不都合がなく、映像コンテンツのフレームを順次再生速度を適宜変更して出力させる簡単な構成で、円滑な映像が容易に得られる。
特に、音声などを伴わないビジュアルＤＪ奏法などのような場合に、円滑な映像の再生が得られ、良好なビジュアルＤＪ奏法が得られ、好適である。
また、音声を伴う場合でも、周波数特性を変更したりピッチを変更する簡単な処理で再生速度が変更された映像コンテンツと容易に同期が得られ、良好なコンテンツの再生が得られる。【００４５】
そして、処理手段４５０によるコンテンツの再生速度を変換する処理として、コンテンツのデータ方式が再生させる表示手段２２０でのデータ方式と同一の場合における再生速度に対して倍速処理している。
このため、表示手段２２０で再生させる速度となる再生処理時の速度を変更するのみでよく、処理が容易で容易にデータ方式が異なるコンテンツを円滑な映像で再生できる。【００４６】
さらに、処理手段４５０による再生速度を倍速処理により変換する処理として、複合化速度であるデコード処理を加速デコード処理している。
このため、単にデコード処理を適宜加速デコードすることで再生速度が変更するので、簡単な構成でデータ方式が異なるコンテンツを容易に円滑な映像で再生できる。【００４７】
また、データ方式として、放送方式で認識している。
このため、表示手段２２０での再生できるデータ方式か否かの判断が容易であるとともに、表示手段２２０の接続時や情報処理装置３００の起動時などであらかじめ表示手段２２０の放送方式を認識しておけばよく、処理が容易で迅速な処理が容易に得られる。
そして、データ方式として走査線である表示ライン数情報を認識してもよい。このような構成によれば、データ方式の差異を容易に認識でき、処理効率の向上が容易に図れる。例えば、走査線の数が異なるＰＡＬ方式とＮＴＳＣ方式とに基づくコンテンツの処理のためのデータ方式の判別が容易で迅速にできる。
さらに、データ方式としてカラー信号などの色信号を認識してもよい。このような構成によれば、データ方式の差異を容易に認識でき、処理効率の向上が容易に図れる。例えば、走査線の数が等しいがデータ方式が異なるＰＡＬ方式とＳＥＣＡＭ方式とに基づくコンテンツの処理のためのデータ方式の判別が容易で迅速にできる。【００４８】
特に、ＮＴＳＣ方式→ＰＡＬ方式ではコンテンツデータの映像コンテンツを５／６倍以上で加速デコード処理し、ＰＡＬ方式→ＮＴＳＣ方式では映像コンテンツを６／５倍以上で加速デコード処理している。
このため、所定の再生速度での加速デコード処理で、容易にデータ方式が異なるコンテンツを円滑な映像で再生できる。
そして、表示手段２２０での再生させるフレームの再生速度へ簡単な倍速処理で変換でき、簡単な構成で容易に円滑な再生が得られる。【００４９】
一方、音声コンテンツを含む場合には、音声コンテンツの周波数特性を変更している。
このため、円滑に再生される映像に同期させる音声も等速で再生させる場合と同様の特性で再生させることで、違和感のないコンテンツの再生状態が得られ、良好な再生状態を提供できる。
特に、再生速度の倍速処理に対応した割合（比率）で周波数特性を変更するので、簡単な処理で容易に良好な再生状態を提供できる。【００５０】
そして、ＣＰＵやＡＶプロセッサ、ＤＳＰなどに、プログラムとして各処理を実行可能に設定する。このことにより、プログラムを組み込む、さらにはプログラムを記録した記録媒体を用いることで、上記処理が容易に得られ、利用の拡大が容易に図れる。【００５１】
〔実施形態の変形〕
なお、本発明は、上述した一実施形態に限定されるものではなく、本発明の目的を達成できる範囲で以下に示される変形をも含むものである。【００５２】
すなわち、ＤＪ奏法用の回転体部６００を備えた構成を例示したが、例えば家庭設置用の音響装置で広く利用されているリモートコントローラなどの様な装置に適用するなどしてもよい。【００５３】
そして、音声コンテンツの変換として、周波数特性を変更する場合に限らず、例えば音声データを所定時間おきに、マイクロ秒で間引きしたり、マイクロ秒で間延びする状態に変調したりするなど、映像コンテンツの変換する再生速度に対応させるいずれの方法が適用できる。
さらに、音声コンテンツは、単に同期させてそのまま再生させてもよい。特に音声コンテンツを必要とせず、音声コンテンツは他の音声コンテンツを利用し映像コンテンツのみ再生させるＤＪ奏法の場合では、音声コンテンツを再生させなければよいので、発音手段２１０が接続されない再生システムを利用したり、音声コンテンツの音圧をほぼ「０」で出力させないようにしたりすればよい。【００５４】
また、ＮＴＳＣ方式→ＰＡＬ方式およびＰＡＬ方式→ＮＴＳＣ方式の双方を実施する情報処理装置３００を例示したが、例えばテレビジョンなどのように表示手段２２０が一体型の構成など、再生するデータ方式が決まっている場合には、いずれか一方のみの処理を実施する構成としてもよい。
さらには、ＮＴＳＣ方式→ＰＡＬ方式、ＰＡＬ方式→ＮＴＳＣ方式に限らず、ＮＴＳＣ方式→ＳＥＣＡＭ方式、ＳＥＣＡＭ方式→ＮＴＳＣ方式、ＳＥＣＡＭ方式→ＰＡＬ方式、ＰＡＬ方式→ＳＥＣＡＭ方式などとしてもよく、さらに放送方式に限らず他のデータ方式としてもよい。
そして、再生速度の変換としては、単にデコード速度を変更する処理に限らず、他のいずれの方法を適用してもよい。【００５５】
さらに、表示手段２２０のデータ方式として、表示手段２２０からの信号を認識して判別する自動判別の他、利用者が操作ボタンなどを有した操作手段における入力操作により、表示手段２２０のデータ方式に関して操作手段から出力される信号を認識して判別する手動判別としてもよい。【００５６】
また、チューナーから出力する映像データのデータ方式を表示手段２２０に対応して変換する場合では、情報処理装置３００で取得する映像データとしては、チューナーで受信する放送データをストレージしつつ再生することとなる。
このことにより、本発明における情報処理装置としては、このチューナー自身あるいはチューナーで受信した放送データをストレージする装置を介して、ストレージ処理が実施された後に再生を開始させる構成とすればよい。【００５７】
そして、演算手段としてのコンピュータに読み取り可能なプログラムとし、コンピュータに装着された記録媒体に記録されたコンテンツを上述したように再生させるなど出力可能に処理させるようにコンピュータを動作させるなど、いずれの装置形態でも適用できる。さらには、表示手段２２０や発音手段２１０を一体的に備えたテレビジョン装置としたり、光ディスクドライブやＨＤＤを一体に備えた装置、さらに全てを一体に備えた装置構成としたりするなどとしてもよい。そして、本発明における演算手段としては、例えば１つのパーソナルコンピュータ、複数のコンピュータをネットワーク状に組み合わせた構成、マイクロコンピュータなどの素子、あるいは複数の電子部品が搭載された回路基板などをも含む。【００５８】
その他、本発明の実施の際の具体的な構造および手順は、本発明の目的を達成できる範囲で他の構造などに適宜変更できる。【００５９】
〔実施形態の効果〕
上述したように、情報取得手段４２０により、取得する映像コンテンツを含むコンテンツのデータ方式を判別するとともに、出力手段２００の表示手段２２０における再生時のデータ方式を判別し、処理手段４５０により、コンテンツのデータ方式と表示手段２２０のデータ方式とが異なることを認識すると、表示手段２２０でのデータ方式に応じた再生速度に情報取得手段４２０で取得するコンテンツのデータ方式を変換して出力手段２００へ出力する。
このため、コンテンツの映像コンテンツにおけるフレームを間引いたり、フレーム間に新たに作成したフレームを補間したりするなどによる表示手段２２０での再生される映像のちらつきや不連続性などの円滑な映像が得られないとともに、処理が煩雑で構成の複雑化などを生じ、製造性の向上やコストの低減が図れないなどの不都合がなく、映像コンテンツのフレームを順次再生速度を適宜変更して出力させる簡単な構成で、円滑な映像が容易に得られる。
【産業上の利用可能性】
【００６０】
本発明は、異なる方式の情報を処理する情報処理装置、その方法、そのプログラム、そのプログラムを記録した記録媒体、ＤＪ用再生装置、および再生装置に利用できる。
【図１】
2007094143.tif 000003
【図２】
2007094143.tif 000004
【図３】
2007094143.tif 000005
【図４】
2007094143.tif 000006
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
表示装置を含む出力手段に接続可能で、映像コンテンツを含むコンテンツデータを、再生可能に処理する情報処理装置であって、
前記コンテンツデータを取得するコンテンツデータ取得手段と、
前記コンテンツデータのデータ方式を判別するデータ方式判別手段と、
前記表示装置のデータ方式を判別する出力方式判別手段と、
前記コンテンツデータを再生して前記出力手段へ出力する処理手段と、
を具備し、
前記出力方式判別手段は、前記表示装置から出力される前記表示装置のデータ方式に関する信号を取得して前記表示装置のデータ方式を判別し、
前記処理手段は、前記コンテンツデータのデータ方式が前記表示装置でのデータ方式と異なるデータ方式であると認識すると、前記コンテンツデータの復号化速度を変更することにより、前記コンテンツデータを前記表示装置でのデータ方式に応じた再生速度に変換し、前記コンテンツデータが音声データを含む場合には、前記音声コンテンツの周波数特性を、前記変換する再生速度の比率に対応した比率で変更する
ことを特徴とした情報処理装置。
【請求項２】
（削除）
【請求項３】
請求項１に記載の情報処理装置であって、
前記処理手段は、前記コンテンツデータの映像コンテンツが同一のデータ方式で再生される際の再生速度を、前記再生装置での異なるデータ方式における再生速度に倍速処理して再生速度を変換する
ことを特徴とした情報処理装置。
【請求項４】
（削除）
【請求項５】
請求項１または請求項３に記載の情報処理装置であって、
前記データ方式判別手段および前記出力方式判別手段は、放送方式をデータ方式として判別する
ことを特徴とした情報処理装置。
【請求項６】
請求項５に記載の情報処理装置であって、
前記処理手段は、前記コンテンツデータの放送方式がＮＴＳＣ方式で前記表示装置での放送方式がＰＡＬ方式の場合に前記コンテンツデータの映像コンテンツを５／６倍以上で複合化処理し、前記コンテンツデータの放送方式がＰＡＬ方式で前記表示装置での放送方式がＮＴＳＣ方式の場合に前記コンテンツデータの映像コンテンツを６／５倍以上で複合化処理することで、再生速度を変換する
ことを特徴とした情報処理装置。
【請求項７】
（削除）
【請求項８】
（削除）
【請求項９】
映像コンテンツを含むコンテンツデータを、表示装置を含む出力手段で再生可能に処理するＤＪ用再生装置であって、
回転操作により回転可能に設けられた操作子を有しこの操作子の操作に応じた操作信号を出力する操作手段と、
前記操作信号に基づいて前記映像コンテンツを再生して前記出力手段へ出力する処理手段と、
前記コンテンツデータを取得するコンテンツデータ取得手段と、
前記コンテンツデータのデータ方式を判別するデータ方式判別手段と、
前記出力手段の表示装置における再生時のデータ方式を判別する出力方式判別手段と、を具備し、
前記出力方式判別手段は、前記表示装置から出力される前記表示装置のデータ方式に関する信号を取得して前記表示装置のデータ方式を判別し、
前記処理手段は、前記コンテンツデータのデータ方式が前記表示装置でのデータ方式と異なるデータ方式であると認識すると、前記コンテンツデータの復号化速度を変更することにより、前記コンテンツデータを前記表示装置でのデータ方式に応じた再生速度に変換し、前記コンテンツデータが音声データを含む場合には、前記音声コンテンツの周波数特性を、前記変換する再生速度の比率に対応した比率で変更する
ことを特徴としたＤＪ用再生装置。
【請求項１０】
演算手段により、映像コンテンツを含むコンテンツデータを、表示装置を含む出力手段で再生可能に処理する情報処理方法であって、
前記演算手段は、
前記コンテンツデータを取得するコンテンツデータ取得工程と、
前記コンテンツデータのデータ方式を判別するデータ方式判別工程と、
前記表示装置から出力される前記表示装置のデータ方式に関する信号を取得して前記表示装置における再生時のデータ方式を判別する出力方式判別工程と、
前記コンテンツデータのデータ方式と前記表示装置でのデータ方式とを比較し、異なるデータ方式であると認識すると、前記コンテンツデータの復号化速度を変更することにより、前記コンテンツデータを前記表示装置でのデータ方式に応じた再生速度に変換し、前記コンテンツデータが音声データを含む場合には、前記音声コンテンツの周波数特性を、前記変換する再生速度の比率に対応した比率で変更して前記出力手段へ出力する処理工程と、を実施する
ことを特徴とする情報処理方法。
【請求項１１】
演算手段を請求項１、請求項３、請求項５、または請求項６に記載の情報処理装置、または請求項９に記載のＤＪ用再生装置として機能させる
ことを特徴とした情報処理プログラム。
【請求項１２】
請求項１１に記載の情報処理プログラムが演算手段にて読取可能に記録された
ことを特徴とした情報処理プログラムを記録した記録媒体。
【請求項１３】
表示装置を含む出力手段と、
この出力手段で再生可能に映像コンテンツを含むコンテンツデータを処理する請求項１、請求項３、請求項５、または請求項６に記載の情報処理装置、または請求項９に記載のＤＪ用再生装置と、
を具備したことを特徴とした再生装置。
【手続補正２】
【補正対象書類名】明細書
【補正対象項目名】０００２
【補正方法】変更
【補正の内容】
【０００２】
理が考えられる。
しかしながら、表示装置の表示領域内で画像データのライン間引き処理や補間処理を実施する場合、特に映像などのような連続する画像データを順次表示させる場合、処理が煩雑で、構成も複雑となり、円滑な再生映像が得られないおそれがある問題が一例として挙げられる。
［０００５］
本発明は、このような実情などに鑑みて、異なる方式のコンテンツでも簡単な構成で円滑な再生が得られる情報処理装置、その方法、そのプログラム、そのプログラムを記録した記録媒体、ＤＪ用再生装置、および再生装置を提供することを１つの目的とする。
課題を解決するための手段
［０００６］
本発明の情報処理装置は、表示装置を含む出力手段に接続可能で、映像コンテンツを含むコンテンツデータを、再生可能に処理する情報処理装置であって、前記コンテンツデータを取得するコンテンツデータ取得手段と、前記コンテンツデータのデータ方式を判別するデータ方式判別手段と、前記表示装置のデータ方式を判別する出力方式判別手段と、前記コンテンツデータを再生して前記出力手段へ出力する処理手段と、を具備し、前記出力方式判別手段は、前記表示装置から出力される前記表示装置のデータ方式に関する信号を取得して前記表示装置のデータ方式を判別し、前記処理手段は、前記コンテンツデータのデータ方式が前記表示装置でのデータ方式と異なるデータ方式であると認識すると、前記コンテンツデータの復号化速度を変更することにより、前記コンテンツデータを前記表示装置でのデータ方式に応じた再生速度に変換し、前記コンテンツデータが音声データを含む場合には、前記音声コンテンツの周波数特性を、前記変換する再生速度の比率に対応した比率で変更することを特徴とする。
［０００７］
本発明のＤＪ用再生装置は、映像コンテンツを含むコンテンツデータを、表示装置を含む出力手段で再生可能に処理するＤＪ用再生装置であって、回転操作により回転可能に設けられた操作子を有しこの操作子の操作に応じた操作信号を出力する操作手段と、前記操作信号に基づいて前記映像コンテンツを再生して前記出力手段へ出力する処理手段と、前記コンテンツデータを取得するコンテンツデータ取得手段と、前記コンテンツデータのデータ方式を判別するデータ方式判別手段と、前記出力手段の表示装置における再生時のデータ方式を判別する出力方式判別手段と、を具備し、前記出力方式判別手段は、前記表示装置から出力される前記表示装置のデータ方式に関する信号を取得して前記表示装置のデータ方式を判別し、前記処理手段は、前記コンテンツデータのデータ方式が前記表示装置でのデータ方式と異なるデータ方式であると認識すると、前記コンテンツデータの復号化速度を変更することにより、前記コンテンツデータを前記表示装置でのデータ方式に応じ
【手続補正３】
【補正対象書類名】明細書
【補正対象項目名】０００３
【補正方法】変更
【補正の内容】
【０００３】
た再生速度に変換し、前記コンテンツデータが音声データを含む場合には、前記音声コンテンツの周波数特性を、前記変換する再生速度の比率に対応した比率で変更することを特徴とする。
［０００８］
本発明の情報処理方法は、演算手段により、映像コンテンツを含むコンテンツデータを、表示装置を含む出力手段で再生可能に処理する情報処理方法であって、前記演算手段は、前記コンテンツデータを取得するコンテンツデータ取得工程と、前記コンテンツデータのデータ方式を判別するデータ方式判別工程と、前記表示装置から出力される前記表示装置のデータ方式に関する信号を取得して前記表示装置における再生時のデータ方式を判別する出力方式判別工程と、前記コンテンツデータのデータ方式と前記表示装置でのデータ方式とを比較し、異なるデータ方式であると認識すると、前記コンテンツデータの復号化速度を変更することにより、前記コンテンツデータを前記表示装置でのデータ方式に応じた再生速度に変換し、前記コンテンツデータが音声データを含む場合には、前記音声コンテンツの周波数特性を、前記変換する再生速度の比率に対応した比率で変更して前記出力手段へ出力する処理工程と、を実施することを特徴とする。
［０００９］
本発明の情報処理プログラムは、演算手段を前述した本発明の情報処理装置またはＤＪ用再生装置として機能させることを特徴とする。
［００１０］
本発明の情報処理プログラムを記録した記録媒体は、前述した本発明の情報処理プログラムが演算手段にて読取可能に記録されたことを特徴とする。
［００１１］
本発明の再生装置は、表示装置を含む出力手段と、この出力手段で再生可能に映像コンテンツを含むコンテンツデータを処理する前述した本発明の情報処理装置またはＤＪ用再生装置と、を具備したことを特徴とする。
図面の簡単な説明
［００１２］
［図１］本発明における一実施形態に係る再生システムの概略構成を示すブロック図である。
［図２］前記実施形態における再生システムを構成する情報処理装置を示す平面図である。
［図３］前記実施形態における情報処理装置の情報処理手段の概略構成を示すブロック図である。
［図４］前記実施形態における情報処理装置でのコンテンツの再生処理の動作を示すフローチャートである。
符号の説明
［００１３］
１００……再生装置としての再生システム
【国際調査報告】
2007094143.tif 000007
2007094143.tif 000008
2007094143.tif 000009
2007094143.tif 000010